(57)【要約】【課題】複合機に対するオプション装置の接続状況の変化により、実行できなくなった「お気に入り」が発生した場合に、お気に入りリストにおいて、実行ができなくなった「お気に入り」が間違って選択されることを防止する情報処理装置を提供する。【解決手段】複合機単体により、又は、該複合機及び該複合機に接続された一以上のオプション装置の組み合わせにより、提供することができる一以上の機能をまとめて選択するための「お気に入り」を一以上お気に入りリストに表示する情報処理装置であって、各「お気に入り」により選択される一以上の機能を提供するために必要な一以上のオプション装置のそれぞれの前記複合機に対する接続状況に基づいて、各「お気に入り」の実行の可否を判断し、前記お気に入りリストにおいて、実行が可能な「お気に入り」を選択可能に表示し、実行が不可能な「お気に入り」を表示しない。【選択図】図１０
2019191666.tif 000002
【特許請求の範囲】
【請求項１】
複合機単体により、又は、該複合機及び該複合機に接続された一以上のオプション装置の組み合わせにより、提供することができる一以上の機能をまとめて選択するための「お気に入り」を一以上お気に入りリストに表示する情報処理装置であって、
各「お気に入り」の実行の可否を判断し、前記お気に入りリストにおいて、実行が可能な「お気に入り」を選択可能に表示し、実行が不可能な「お気に入り」を表示しないことを特徴とする情報処理装置。
【請求項２】
複合機単体により、又は、該複合機及び該複合機に接続された一以上のオプション装置の組み合わせにより、提供することができる一以上の機能をまとめて選択するための「お気に入り」を一以上お気に入りリストに表示する情報処理装置であって、
各「お気に入り」の実行の可否を判断し、前記お気に入りリストにおいて、実行が可能な「お気に入り」を選択可能に表示し、実行が不可能な「お気に入り」を選択不可能に且つ実行が可能な「お気に入り」と区別がつくように表示することを特徴とする情報処理装置。
【請求項３】
請求項１又は２に記載の情報処理装置であって、
前記判断を、各「お気に入り」により選択される一以上の機能を提供するために必要な一以上のオプション装置のそれぞれの前記複合機に対する接続状況に基づいて行うことを特徴とする情報処理装置。
【請求項４】
請求項１乃至３の何れか１項に記載の情報処理装置であって、
「お気に入り」に含まれる一以上の機能のリストと、
各オプション装置が提供することができる一以上の機能のリストと、
前記複合機に各オプション装置が接続されているか否かの情報に基づいて、
「お気に入り」が実行できるか否かを判断することを特徴とする情報処理装置。
【請求項５】
請求項１乃至４の何れか１項に記載の情報処理装置であって、
前記お気に入りリストにおいて各「お気に入り」を選択可能に表示するか否かの設定を、前記複合機に対する一以上のオプション装置の接続状況を変えた時にすることを特徴とする情報処理装置。
【請求項６】
請求項５に記載の情報処理装置であって、
前記複合機に対する一以上のオプション装置の接続状況を変えた時にした前記お気に入りリストにおいて各「お気に入り」を選択可能に表示するか否かの設定を保存しておき、
保存しておいた前記設定を前記お気に入りリストを表示するときに参照することを特徴とする情報処理装置。
【請求項７】
請求項５又は６に記載の情報処理装置であって、
「お気に入り」の数が所定値に達したならば、選択可能に表示するための設定がされていない「お気に入り」を利用者からの許可を問わずに削除することを特徴とする情報処理装置。
【請求項８】
請求項５乃至７の何れか１項に記載の情報処理装置であって、
「お気に入り」の数が所定値に達したならば、選択可能に表示するための設定がされている「お気に入り」を利用者による許可を条件として削除することを特徴とする情報処理装置。
【請求項９】
請求項５乃至８の何れか１項に記載の情報処理装置であって、
新たに登録しようとする「お気に入り」の名前が、選択可能に表示するための設定がされていない「お気に入り」の名前と同一である場合には、新たに登録しようとする「お気に入り」により選択可能に表示するための設定がされていない「お気に入り」を利用者からの許可を問わずに置き換えることを特徴とする情報処理装置。
【請求項１０】
請求項５乃至９の何れか１項に記載の情報処理装置であって、
新たに登録しようとする「お気に入り」の名前が、選択可能に表示するための設定がされている「お気に入り」の名前と同一である場合には、新たに登録しようとする「お気に入り」により選択可能に表示するための設定がされている「お気に入り」を利用者からの許可を条件として置き換えることを特徴とする情報処理装置。
【請求項１１】
請求項１乃至４の何れか１項に記載の情報処理装置であって、
前記複合機に対する前記一以上のオプション装置の接続状況に基づいた各「お気に入り」の実行の可否の判断を、お気に入りリストを表示するための操作がされた時にすることを特徴とする情報処理装置。
【請求項１２】
複合機単体により、又は、該複合機及び該複合機に接続された一以上のオプション装置の組み合わせにより、提供することができる一以上の機能をまとめて選択するための「お気に入り」を一以上お気に入りリストに表示する表示方法であって、
各「お気に入り」により選択される一以上の機能を提供するために必要な一以上のオプション装置のそれぞれの前記複合機に対する接続状況に基づいて、各「お気に入り」の実行の可否を判断し、前記お気に入りリストにおいて、実行が可能な「お気に入り」を選択可能に表示し、実行が不可能な「お気に入り」を表示しないことを特徴とする表示方法。
【請求項１３】
複合機単体により、又は、該複合機及び該複合機に接続された一以上のオプション装置の組み合わせにより、提供することができる一以上の機能をまとめて選択するための「お気に入り」を一以上お気に入りリストに表示する表示方法であって、
各「お気に入り」により選択される一以上の機能を提供するために必要な一以上のオプション装置のそれぞれの前記複合機に対する接続状況に基づいて、各「お気に入り」の実行の可否を判断し、前記お気に入りリストにおいて、実行が不可能な「お気に入り」を選択不可能に且つ実行が可能な「お気に入り」と区別がつくように表示することを特徴とする表示方法。    
【請求項１４】
請求項１乃至１１の何れか１項に記載の情報処理装置として該情報処理装置を機能させるためのプログラム。
【請求項１５】
請求項１４に記載のプログラムであって、プリンタ・ドライバであることを特徴とするプログラム。
【発明の詳細な説明】
【技術分野】
【０００１】
本発明は、装置により提供される一以上の機能をまとめて選択するための「お気に入り」の表示をするための情報処理装置及び表示方法に関し、特に、複合機及びこれに接続されるオプション装置により提供される一以上の機能をまとめて選択するための「お気に入り」の表示をするための情報処理装置及び表示方法に関する。
【背景技術】
【０００２】
近年、情報処理装置（パーソナル・コンピュータ）の普及に伴って、情報処理装置から送信された画像データを出力処理する画像出力装置が普及してきている。画像出力装置には、印刷機能のみを備えるプリンタもあれば、印刷機能に加えて、スキャナ機能やＦａｘ送信機能、Ｅ−Ｍａｉｌ送信機能などのデータ送信機能を備えた複合機がある。複合機は、単体で利用されることもあるが、これに接続されたオプション装置（多機能周辺装置など）の組み合わせにより利用されることもある。
【０００３】
これらの画像出力装置は、有線あるいは無線でＬＡＮ等のネットワークに接続されていることが多く、オフィスなどでは、複数の場所に複数の画像出力装置が設置されている。
【０００４】
利用者は、設定されている場所や、画像出力装置がサポートしている機能を考慮して、利用する画像出力装置を選択して、画像出力装置でよく設定する機能については、「お気に入り」設定として保存しておき、「お気に入り」設定を選択して印刷を行う。
【先行技術文献】
【特許文献】
【０００５】
【特許文献１】特開２０１１−２５８２１６号公報
【発明の概要】
【発明が解決しようとする課題】
【０００６】
従来、複合機用のプリンタ・ドライバにおいては、複合機本体及びそれに接続されたオプション装置により提供することができる一以上の機能をまとめて選択することができるようにするための「お気に入り」を設定することができている。利用者が、まとめて利用したい機能を選択し、これに名前をつけて「お気に入り」として保存するための操作をすると、プリンタ・ドライバは、それ以降、保存された「お気に入り」をお気に入りリストに選択可能に表示する。
【０００７】
利用者がお気に入りリストから所望の「お気に入り」を選択すると、それに対応付けられている複合機及びそれに接続されたオプション装置の機能が利用され、利用者は、所望の印刷物を得ることができる。
【０００８】
ところで、従来は、利用できる機能のみが設定された「お気に入り」だけではなく、オプション装置の複合機本体からの取り外しなどにより利用できなくなった機能の設定を含むことになった「お気に入り」もお気に入りリストに選択可能に表示していた。
【０００９】
しかしながら、利用できない機能の設定を含む「お気に入り」を利用者が選択した場合、プリンタ・ドライバが自動で設定を丸めるので、利用者は、期待していた通りの機能を利用できなかった。ここで、設定を丸めるとは、機能を他のものに置き換えたり省略したりすることをいう。
【００１０】
なお、特許文献１には、選択された「お気に入り」が実行できない場合に、オプション使用をオフにする技術が開示されている。
【００１１】
利用者が選択した「お気に入り」により選択される機能を利用することにより得られる印刷物が得られないと、利用者にとってみると不都合な場合がある。
【００１２】
そこで、本発明は、複合機に対するオプション装置の接続状況の変化により、実行できなくなった「お気に入り」が発生した場合に、お気に入りリストにおいて、実行ができなくなった「お気に入り」が間違って選択されることを防止する情報処理装置及び表示方法を提供することを目的とする。
【課題を解決するための手段】
【００１３】
本発明によれば、
複合機単体により、又は、該複合機及び該複合機に接続された一以上のオプション装置の組み合わせにより、提供することができる一以上の機能をまとめて選択するための「お気に入り」を一以上お気に入りリストに表示する情報処理装置であって、
各「お気に入り」の実行の可否を判断し、前記お気に入りリストにおいて、実行が可能な「お気に入り」を選択可能に表示し、実行が不可能な「お気に入り」を表示しないことを特徴とする情報処理装置が提供される。
【００１４】
また、本発明によれば、
複合機単体により、又は、該複合機及び該複合機に接続された一以上のオプション装置の組み合わせにより、提供することができる一以上の機能をまとめて選択するための「お気に入り」を一以上お気に入りリストに表示する情報処理装置であって、
各「お気に入り」の実行の可否を判断し、前記お気に入りリストにおいて、実行が可能な「お気に入り」を選択可能に表示し、実行が不可能な「お気に入り」を選択不可能に且つ実行が可能な「お気に入り」と区別がつくように表示することを特徴とする情報処理装置が提供される。
【００１５】
更に、本発明によれば、
複合機単体により、又は、該複合機及び該複合機に接続された一以上のオプション装置の組み合わせにより、提供することができる一以上の機能をまとめて選択するための「お気に入り」を一以上お気に入りリストに表示する表示方法であって、
各「お気に入り」により選択される一以上の機能を提供するために必要な一以上のオプション装置のそれぞれの前記複合機に対する接続状況に基づいて、各「お気に入り」の実行の可否を判断し、前記お気に入りリストにおいて、実行が可能な「お気に入り」を選択可能に表示し、実行が不可能な「お気に入り」を表示しないことを特徴とする表示方法が提供される。
【００１６】
更に、本発明によれば、
複合機単体により、又は、該複合機及び該複合機に接続された一以上のオプション装置の組み合わせにより、提供することができる一以上の機能をまとめて選択するための「お気に入り」を一以上お気に入りリストに表示する情報処理装置であって、
各「お気に入り」の実行の可否を判断し、前記お気に入りリストにおいて、実行が可能な「お気に入り」を選択可能に表示し、実行が不可能な「お気に入り」を選択不可能に且つ実行が可能な「お気に入り」と区別がつくように表示することを特徴とする表示方法が提供される。
【００１７】
更に、本発明によれば、上記の情報処理装置として該情報処理装置を機能させるためのプログラムが提供される。
【発明の効果】
【００１８】
本発明によれば、複合機に対するオプション装置の接続状況の変化により、実行できなくなった「お気に入り」が発生した場合に、お気に入りリストにおいて、実行ができなくなった「お気に入り」が間違って選択されることを防止することができる。
【図面の簡単な説明】
【００１９】
【図１】本発明の第１の実施の形態による画像出力装置及びこれに接続された情報処理装置の構成を示す機能ブロック図である。
【図２】本発明の第１の実施の形態によるが創出力装置と情報処理装置がネットワークを介して接続されている様子を示す概念図である。
【図３】本発明の第１の実施の形態による機能テーブルの構成とデータ例を示す図である。
【図４】本発明の第１の実施の形態によるお気に入りテーブルの構造と後処理装置が複合機本体に接続されている時のデータを示す図である。
【図５】本発明の第１の実施の形態によるお気に入りテーブルの構造と後処理装置が複合機本体に接続されていない時のデータを示す図である。
【図６】本発明の第１の実施の形態による「お気に入り」の表示／非表示を判定するためのフローチャートを示す。
【図７】本発明の第１の実施の形態による情報処理装置により表示されるオプション装置の接続状態を示す画面であって、排紙オプションとしてサドルフィニッシャーが接続されているときのものを示す図である。
【図８】本発明の第１の実施の形態による情報処理装置により表示されるオプション装置の接続状態を示す画面であって、排紙オプションとしてなにも接続されていないときのものを示す図である。
【図９】本発明の第１の実施の形態による接続状況テーブルの構成とデータ例を示す図である。
【図１０】本発明の第１の実施の形態による、お気に入りリストを表示してから選択されたお気に入りに対応した設定を複合機本体又は複合機本体及びオプション装置に設定するまでの動作の説明をするためのフローチャートである。
【図１１】本発明の第１の実施の形態による情報処理装置により表示される印刷設定のための画面であって、選択可能な「お気に入り」として「初期設定」がお気に入りリストに表示されているときのものを示す図である。
【図１２】本発明の第１の実施の形態による情報処理装置により表示される印刷設定のための画面であって、選択可能な「お気に入り」として「初期設定」及び「両面」がお気に入りリストに表示されているときのものを示す図である。
【図１３】本発明の第１の実施の形態による情報処理装置により表示される印刷設定のための画面であって、選択可能な「お気に入り」として「初期設定」、「両面」及び「製本」がお気に入りリストに表示されているときのものを示す図である。
【図１４】本発明の第１の実施の形態による情報処理装置により表示される印刷設定のための画面であって、図１３の画面の表示後に選択可能な「お気に入り」として「初期設定」、「両面」がお気に入りリストに表示されているときのものを示す図である。
【図１５】本発明の第２の実施の形態によるお気に入りリストを表示してから選択されたお気に入りに対応した設定を複合機本体又は複合機本体及びオプション装置に設定するまでの動作を説明するためのフローチャートである。
【図１６】本発明の第３の実施の形態による登録されている「お気に入り」が所定数以上ある場合に、新たな「お気に入り」を登録する方法の動作を説明するためのフローチャートである。
【図１７】本発明の第４の実施の形態による登録しようとする「お気に入り」と名称が重複する「お気に入り」が既に登録されている場合の「お気に入り」の登録方法の動作を説明するためのフローチャートである。
【図１８】本発明の第６の実施の形態による複合機の概念的断面図である。
【図１９】本発明の第６の実施の形態による複合機の機能ブロック図である。
【発明を実施するための形態】
【００２０】
以下添付図面を参照しながら、本発明の実施の形態及び実施例について説明し、本発明の理解に供する。尚、以下の実施の形態及び実施例は、本発明を具体化した一例であって、本発明の技術的範囲を限定する性格のものではない。
【００２１】
［第１の実施の形態］
図１に、情報処理装置１２０、画像出力装置１１０の機能ブロック図を示す。まずは、情報処理装置１２０より説明する。
【００２２】
情報処理装置２０は、ＲＯＭ２１、ＲＡＭ２２、記憶部２３、ＣＰＵ２４、通信部２８、利用者インタフェース２９を含む。
【００２３】
ＣＰＵ１２４は、表示処理部１２５、情報送信処理部１２６、コマンド生成部（コマンド生成手段）１２７を含む。なお、ＣＰＵ１２４に含まれるこれらの部分の機能は、ＣＰＵ１２４がプログラムをＲＯＭ１２１、記憶部１２３などの記録媒体からプログラムを読み込んで実行することにより実現することができる。実行の最中には、プログラムは、一時的にＲＡＭ１２２に格納されることもある。
【００２４】
本実施形態の情報処理装置１２０は、印刷ジョブをコマンド生成部１２７で生成し、印刷ジョブの処理が可能な画像出力装置１１０に対して、情報送信処理部１２６経由で通信部１２８から送信する。
【００２５】
記憶部１２３は、ＨＤＤなどより構成されるメモリである。
【００２６】
ＣＰＵ１２４が、ＲＯＭ１２１、ＲＡＭ１２２に格納されているプログラムを実行し、ＲＡＭ１２２を作業領域として使用することで構成される。
【００２７】
通信部１２５は、コマンド生成部１２７が生成した印刷ジョブを、ネットワーク１０５を介して、対象の画像出力装置１１０に送信するものである。印刷ジョブの送信には、ＬＰＲ（Ｌｉｎｅ  Ｐｒｉｎｔｅｒ  ｄａｅｍｏｎ  ｐｒｏｔｏｃｏｌ）やＦＴＰ（Ｆｉｌｅ  Ｔｒａｎｓｆｅｒ  Ｐｒｏｔｏｃｏｌ）等を利用することができる。
【００２８】
利用者インタフェース１２９は、表示装置やキーボード、マウス等の指示入力装置より構成される。
【００２９】
一方、画像出力装置１１０は、通信部１３０、コマンド解析部１１２、画像出力処理部１１３、利用者インタフェース１１４、記憶部１１５、印刷エンジン１１６、及び排紙トレイ１１７を備えている。
【００３０】
通信部１３０は、情報処理装置１２０から送信された印刷ジョブを受信するものである。
【００３１】
コマンド解析部１１２は、印刷ジョブのコマンドを解析して、仕上がりの原稿の処理などを判断する。
【００３２】
画像出力処理部１１３は、受信した印刷ジョブをコマンド解析部１１２で決定した設定で出力処理するものである。画像出力処理部１１３は、印刷ジョブを、コマンド解析部１１２で決定した情報を基に、印刷エンジン１１７に出力し、印刷物は排紙トレイ１１７から排紙される。
【００３３】
コマンド解析部１１２、及び画像出力処理部１１３は、制御部１１１に構築されている。制御部１１１は、特に図示してはいないが、ＣＰＵが、ＲＯＭ、ＲＡＭに格納されているプログラムを実行し、ＲＡＭを作業領域として使用することで構成される。
【００３４】
記憶部１１５は、ＨＤＤなどより構成されるメモリである。
【００３５】
利用者インタフェース１１４は、表示装置やキーボード、マウス等の指示入力装置より構成される。
【００３６】
図２に示すように、本発明の実施の形態に係る情報処理装置１２０が、画像出力を支援する画像出力装置では、情報処理装置１２０と、画像出力装置１１０とが、インターネットやイントラネット等であるネットワーク５を介して接続されている。
【００３７】
ネットワーク１０５は、ＬＡＮ、無線ＬＡＮ、ＷｉＭＡＸ、ＰＬＣ、ｃ．ｌｉｎｋ等のイントラネット／インターネット等のＩＰネットワーク等であり、外部のネットワークと接続することもできる。
【００３８】
画像出力装置１１０は、プリンタや、スキャナ機能付きのプリンタ、複合機、複合機等の、少なくとも印刷機能を有する画像出力装置である。
【００３９】
図１に示すように、画像出力装置が複合機である場合には、種々のオプション装置＃１乃至＃ｎを接続することができる。例えば、複合機には、給紙オプション装置として、大容量給紙デスクなどを接続することができ、一種のオプション装置として大容量トレイを接続することができ、排紙オプション装置（「後処理装置」ということもある。）としてインナーフィニッシャー、フィニッシャー、大容量フィニッシャー、サドルフィニッシャー、大容量サドルフィニッシャーなどを接続することができる。
【００４０】
図３を参照して本体及び各オプション装置により提供できる機能の説明をすると、本体により提供できる機能は、片面印刷、両面印刷長辺とじ(印刷物の長辺が本の背に相当した状態の両面印刷を行うこと)、両面印刷短辺とじ(印刷物の短辺が本の背に相当した状態の両面印刷を行うこと)、中綴じ印刷などであり、後処理装置Ｊにより提供できる機能は、図３のステープル一箇所綴じであり、後処理装置Ｋ（サドルフィニッシャー）により提供できる機能は図３の該当する行に示すようなステープル一箇所綴じ、ステープル二箇所綴じ及び中綴じステープルである。
【００４１】
情報処理装置１２０は、情報処理装置／ＡＴ互換機やＭＡＣ規格機等の情報処理装置であり、ＰＤＡ等の携帯端末等の端末であってもよい。ネットワーク１０５に接続された、同様の構成の情報処理装置１２０が複数存在してもよい。
【００４２】
図４及び図５にお気に入りテーブルのデータ構造を示す。
【００４３】
お気に入りテーブルの各レコードには、「お気に入り」の名称と「お気に入り」で利用する１以上の機能の名称とが関連付けられて保存される。なお、図４及び図５の例においては、機能の名称は、設定項目Ａ、設定項目Ｂ、・・・のフィールドに保存される。また、お気に入りテーブルの各レコードの表示／非表示のフィールドには、お気に入りが利用されるか否かについての判断の結果が保存される。利用可能な「お気に入り」であればこのフィールドの値は「表示」であり、利用不可能な「お気に入り」であればこのフィールドの値は「非表示」である。このフィールドの値が「表示」である「お気に入り」は、お気に入りリストに選択可能に表示されるが、このフィールドの値が「非表示」である「お気に入り」は、お気に入りリストに選択可能に表示されることはない。
【００４４】
図４は「後処理装置（フィニッシャー）有り」のケースで、この場合全ての「お気に入り」が表示可能（「表示／非表示」の項が全て「表示」）であり、図５は「後処理装置（フィニッシャー）無し」のケースで、この場合、中綴じステープルができないので、「製本」は表示不可（「表示／非表示」の項が「非表示」）である。
【００４５】
図６に「お気に入り」の表示／非表示を判定するためのフローチャートを示す。
【００４６】
図６を参照すると、例えば、図７及び図８に示すようにサドルフィニッシャーを取り付けた状態から取り外した状態に変更するように、複合機本体に対するオプション装置の接続状態に変更があった場合には（ステップＳ１でＹＥＳ）、お気に入りテーブルにある最初の「お気に入り」が実行可能か否かを判断し（ステップＳ３）、実行可能であるならば（ステップＳ３でＹＥＳ）、その「お気に入り」を選択可能に表示するために、「表示／非表示」の値を「表示」に設定し（ステップＳ４）、実行不可能であるならば（ステップＳ３でＮＯ）、その「お気に入り」を選択可能に表示しないために、「表示／非表示」の値を「非表示」に設定する（ステップＳ８）。
【００４７】
これを、お気に入りテーブルにある全ての「お気に入り」について繰り返す（ステップＳ５）。
【００４８】
次に、ステップＳ３の詳細な説明をする。
【００４９】
複合機本体にオプション装置が接続されていない場合には、各お気に入りに設定されている各機能が本体により提供できるかを調べる。また、複合機本体にオプション装置が接続されている場合には、各お気に入りに設定されている各機能が複合機本体又はこれに接続されているオプション装置により提供できるかを調べる。
【００５０】
例えば、「初期設定」という名称のお気に入りに含まれる機能は「片面印刷」であるが（図４、図５参照）、「片面印刷」の機能は、複合機本体が提供することができる（図３参照）。従って、複合機本体にオプション装置が接続されていてもいなくても「初期設定」という名称のお気に入りの「表示／非表示」のフィールドの値は、「表示」になる（図４、図５参照）。
【００５１】
また、「両面」という名称のお気に入りに含まれる機能は「両面印刷長辺とじ」である（図４、図５参照）。従って、複合機本体に後処理装置Ｊ又は後処理装置Ｋが接続されている、接続されていないに関わらず「両面」という名称のお気に入りの「表示／非表示」のフィールドの値は、「表示」になる（図４参照）。
【００５２】
更に、「製本」という名称のお気に入りに含まれる機能は「中綴じ印刷」及び「中綴じステープル」である（図４、図５参照）。ここで、「中綴じ印刷」の機能は、複合機本体が提供することができる（図３参照）。また、「中綴じステープル」の機能は、後処理装置Ｋにより提供することができる（図３参照）。従って、複合機本体に後処理装置Ｋが接続されている場合には、「製本」という名称のお気に入りの「表示／非表示」のフィールドの値は、「表示」になるが（図４参照）、複合機に後処理装置Ｋが接続されていない場合には、「製本」という名称のお気に入りの「表示／非表示」のフィールドの値は、「非表示」になる。
【００５３】
なお、接続状況が変更された時に、変更後の接続状況に応じて接続状況テーブル（図９参照）が書き換えられる。そして、お気に入りに含まれる機能が複合機本体又は複合機本体又はこれに接続されているオプション装置により提供されるかどうかを調べる際には、接続状況テーブル（図９参照）において「接続状況」のフィールドの値が「接続」となっているオプション装置及び複合機本体について、「お気に入り」に含まれる各機能が機能テーブルに登録されている機能を調べる。
【００５４】
具体的には、複合機本体にオプション装置が接続されていないときには、機能テーブルの「本体」のレコードにある機能のみが調べられ、複合機本体に後処理装置Ｊが接続されているときには、機能テーブルの「本体」のレコード及び「後処理装置Ｊ」にある機能が調べられ、複合機本体に後処理装置Ｋが接続されているときには、機能テーブルの「本体」のレコード及び「後処理装置Ｋ」にある機能が調べられる。
【００５５】
次に、図１０を参照して、お気に入りリストを表示してから選択されたお気に入りに対応した設定を複合機本体又は複合機本体及びオプション装置に設定するまでの動作の説明をする。
【００５６】
お気に入りリストを開くための矢印部が選択されたならば（ステップＳ１１でＹＥＳ）、登録されている全ての「お気に入り」について、お気に入りテーブルにおいて「表示／非表示」の値が「表示」であれば、お気に入りリストに「お気に入り」を選択可能に表示する（ステップＳ１２、Ｓ１３、Ｓ１４）。お気に入りリストにおいて選択可能な「お気に入り」の何れかが利用者により選択されたならば（ステップＳ１５でＹＥＳ）、選択された「お気に入り」に対応する設定を複合機本体又は複合機本体及びオプション装置に設定する（ステップＳ１６）。
【００５７】
次に、「お気に入り」を表示するためのお気に入りリストの具体例の説明をする。
【００５８】
図１１は、お気に入りリストの初期設定を示す。この状態においては、お気に入りリストには、「初期設定」というお気に入りのみが選択可能に表示される。
【００５９】
図１２は、複合機本体に後処理装置Ｋ（サドルフィニッシャー）を追加してから「両面」という名称のお気に入りを追加してからの気に入りリストを示す。この状態においては、お気に入りリストには、「初期設定」というお気に入りと、「両面」というお気に入りが選択可能に表示される。
【００６０】
図１３は、複合機本体に後処理装置Ｋ（サドルフィニッシャー）を追加したままの状態において更に「製本」という名称のお気に入りを追加してからのお気に入りリストを示す。この状態においては、お気に入りリストには、「初期設定」というお気に入りと、「両面」というお気に入りと、「製本」というお気に入りが選択可能に表示される。
【００６１】
図１４は、後処理装置Ｋ（サドルフィニッシャー）を複合機本体から取り外してからのお気に入りを示す。「製本」というお気に入りが必要とする機能である「中綴じステープル」は後処理装置Ｋ（サドルフィニッシャー）により提供することができていたが、これが取り外され、複合機本体には、これらの機能を提供することができる他のオプション装置も接続されていないので、これらの機能をもはやこれらを提供することができない。上述の処理によりこれが判断され、「製本」というお気に入りがお気に入りリストから削除されている。
【００６２】
仮に「製本」というお気に入りがお気に入りリストに残ったままならば、利用者が「製本」を誤って選んでしまうことがあるが、本実施形態により処理により「製本」というお気に入りがお気に入りリストから削除されるので、これを回避することができる。
【００６３】
［第２の実施の形態］
図１５は、第２の実施の形態による、お気に入りリストを表示してから選択されたお気に入りに対応した設定を複合機本体又は複合機本体及びオプション装置に設定するまでの動作を説明するためのフローチャートである。
【００６４】
お気に入りリストを開くための矢印部が選択されたならば（ステップＳ２１でＹＥＳ）、登録されている全ての「お気に入り」について、実行可能であれば、お気に入りリストに「お気に入り」を選択可能に表示する（ステップＳ２２、Ｓ２３、Ｓ２４、Ｓ２５）。お気に入りリストにおいて選択可能な「お気に入り」の何れかが利用者により選択されたならば（ステップＳ２６でＹＥＳ）、選択された「お気に入り」に対応する設定を複合機本体又は複合機本体及びオプション装置に設定する（ステップＳ２７）。
【００６５】
ここで、実行可能であるかどうかの判断は、第１の実施の形態のステップＳ３と同様に行われる。
【００６６】
第２の実施の形態においては、お気に入りテーブルに「表示／非表示」のフィールドを設ける必要がない。
【００６７】
［第３の実施の形態］
第３の実施の形態は、「お気に入り」の数が所定数に達した場合の処理についてのものである。
【００６８】
図１６を参照すると、お気に入りを保存するためのボタンが押されたならば（ステップＳ４１）、既に所定数以上の「お気に入り」が登録されているか否かを調べる（ステップＳ４２）。所定数としては、一例として３０を設定しておく。
【００６９】
所定数以上の「お気に入り」が設定されていないならば（ステップＳ４２でＮＯ）、そのまま、お気に入り登録のダイアログを表示する（ステップＳ４６）。ステップＳ４６では、利用者によるダイアログに対する操作に従って新たな「お気に入り」を登録する。
【００７０】
所定数以上の「お気に入り」が設定されているならば（ステップＳ４２でＹＥＳ）、非表示の「お気に入り」が少なくとも１つあるかを調べ、そうならば（ステップＳ４３でＹＥＳ）、非表示の「お気に入り」を全て削除してから（ステップＳ４４）、ステップＳ４６に進む。テップＳ４６では、利用者によるダイアログに対する操作に従って新たな「お気に入り」を登録する。
【００７１】
非表示の「お気に入り」が１つもなければ（ステップＳ４３でＮＯ）、登録されている何れかの「お気に入り」を削除することを促すためのメッセージを表示し、１以上の「お気に入り」が削除されたならば（ステップＳ４６でＹＥＳ）、ステップＳ４６に進む。テップＳ４６では、利用者によるダイアログに対する操作に従って新たな「お気に入り」を登録する。「お気に入り」が１つも削除されなければ（ステップＳ４６でＮＯ）、処理を終了する。
【００７２】
［第４の実施の形態］
第４の実施の形態は、新たに登録しようとする「お気に入り」の名称が既存の「お気に入り」の名称と重複する場合の処理に関するものである。
【００７３】
図１７を参照すると、「お気に入り」の保存ボタンを押下されたならば、ダイアログダイアログを表示する（ステップＳ５１）。
【００７４】
保存しようとする「お気に入り」の名称が既存の非表示の「お気に入り」の名称と重複するならば（ステップＳ５２でＹＥＳ）、名前が重複する既存の非表示の「お気に入り」を削除してから（ステップＳ５３）、保存しようとしている「お気に入り」を保存し（ステップＳ５４）、ダイアログを閉じる（ステップＳ５５）。これにより同一名称の「お気に入り」のこれまでの内容が新しい内容に置き換わったことになる。
【００７５】
保存しようとする「お気に入り」の名称が既存の非表示の「お気に入り」の名称と重複しないならば（ステップＳ５２でＮＯ）、保存しようとする「お気に入り」の名称が既存の表示の「お気に入り」の名称と重複するか否かを判断して、重複していないならば（ステップＳ５６でＮＯ）、保存しようとしている「お気に入り」を保存し（ステップＳ５４）、ダイアログを閉じる（ステップＳ５５）。
【００７６】
保存しようとする「お気に入り」の名称が既存の非表示の「お気に入り」の名称と重複しないならば（ステップＳ５２でＮＯ）、保存しようとする「お気に入り」の名称が既存の表示の「お気に入り」の名称と重複するか否かを判断して、重複しているならば（ステップＳ５６でＹＥＳ）、名前が重複する既存の表示の「お気に入り」を保存しようとしている「お気に入り」により更新してもよいかを問い合わせるためのメッセージを表示し（ステップＳ５７）、ＹＥＳの入力があったならば、名前が重複する既存の表示の「お気に入り」を削除してから（ステップＳ５９）、保存しようとしている「お気に入り」を保存し（ステップＳ５４）、ダイアログを閉じる（ステップＳ５５）。これにより同一名称の「お気に入り」のこれまでの内容が新しい内容に置き換わったことになる。
【００７７】
［第５の実施の形態］
第１乃至第４の実施の形態では、表示するべきである「お気に入り」をお気に入りリストに選択可能に表示し、表示するべきではない「お気に入り」をお気に入りリストに表示しない。
【００７８】
これに対して、第５の実施形態では、表示するべきである「お気に入り」をお気に入りリストに選択可能に表示する点は、第１乃至第４の実施の形態と同一である。しかし、第５の実施の形態では、第１の実施の形態では表示するべきではない「お気に入り」をお気に入りリストに選択不可能に表示する。選択不可能に表示するとは、例えば、表示しても利用者により選択できないように且つ選択可能に表示する「お気に入り」と異なった態様で表示する（例えばグレイアウトして表示する）ことである。
【００７９】
［第６の実施の形態］
第６の実施の形態は、第１乃至第５の実施の形態による画像出力装置の一種である複合機８００に関するものである。図１８及び図１９は、複合機８００の構成などを示すものである。
【００８０】
図１８及び図１９に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００８１】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインタフェースを含んでいてもよい。複合機８００に接続されたパーソナルコンピュータは、これが管理できるデータについて複合機の機能を利用することができる。
【００８２】
原稿読取装置８２０は、原稿を自動給送する原稿自動給送部ＳＰＦ（Ｓｉｎｇｌｅ  Ｐａｓｓ  Ｆｅｅｄｅｒ）８２４と、原稿の画像を読み取る読取装置本体８２２と、を備えている。なお、原稿読取装置８２０は、図１９に示す構成要素の他に、図１９は示されないが図１８に示される構成要素も含む。また、図１８に示すように、読取装置本体８２２には、原稿台８２６が備わる。
【００８３】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００８４】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００８５】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００８６】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００８７】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００８８】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００８９】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００９０】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１８の紙面の手前側に対応し、裏面側は図１８の背面側に対応する。
【００９１】
図１９に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【００９２】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００９３】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００９４】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００９５】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００９６】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００９７】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００９８】
なお、上記の情報処理装置は、ハードウェア、ソフトウェア又はこれらの組み合わせにより実現することができる。また、上記の情報処理装置により行なわれる表示方法も、ハードウェア、ソフトウェア又はこれらに組み合わせにより実現することができる。ここで、ソフトウェアによって実現されるとは、コンピュータがプログラムを読み込んで実行することにより実現されることを意味する。また、プログラムとしては、通常はプリンタが利用されるが、この限りではない。
【００９９】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１００】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１０１】
本発明は、装置により提供される一以上の機能をまとめて選択するための「お気に入り」の表示に利用することができる。
【符号の説明】
【０１０２】
１１０  画像出力装置
１１１  制御部
１１２  コマンド解析部
１１３  画像出力処理部
１１４  ユーザＩ／Ｆ
１１５  記憶部
１１６  印刷エンジン
１１７  排紙トレイ
１２０  情報処理装置
１２１  ＲＯＭ
１２２  ＲＡＭ
１２３  記憶部
１２４  ＣＰＵ
１２５  表示処理部
１２６  情報送信処理部
１２７  コマンド生成部
１２８  通信部
【図１】
2019191666.tif 000003
【図２】
2019191666.tif 000004
【図３】
2019191666.tif 000005
【図４】
2019191666.tif 000006
【図５】
2019191666.tif 000007
【図６】
2019191666.tif 000008
【図７】
2019191666.tif 000009
【図８】
2019191666.tif 000010
【図９】
2019191666.tif 000011
【図１０】
2019191666.tif 000012
【図１１】
2019191666.tif 000013
【図１２】
2019191666.tif 000014
【図１３】
2019191666.tif 000015
【図１４】
2019191666.tif 000016
【図１５】
2019191666.tif 000017
【図１６】
2019191666.tif 000018
【図１７】
2019191666.tif 000019
【図１８】
2019191666.tif 000020
【図１９】
2019191666.tif 000021